(57)【要約】【課題】住宅排水システムにおける排水ヘッダーにおいて、トイレからの流入汚水が少量排水機器への枝管接続口内に飛び込むのを防止してスムーズな排水を保証すると共に排水ヘッダーを充分に短尺化する。【解決手段】住宅排水システム用ヘッダーにおいて、排水枝管と接続される前記ヘッダーの複数の枝管接続口のうちの２つが、ヘッダーの上流側に鋭角θの向きである第一枝管接続口１１と、前記第一接続口に対してヘッダーの下流側に隣りでかつヘッダーの中心軸を挟んで反対側に位置し、しかもヘッダーの上流側に４５度、９０度または９０度大曲りの向きであり前記排水管と接続される第二枝管接続口１２であり、この第一枝管接続口１１と第二枝管接続口１２の間隔が第一枝管接続口からの流入水の第二枝管接続口への飛込みを防止し得るように所定の間隔で前記ヘッダーに配置されている【選択図】図１
2005290675.tif 000002
【特許請求の範囲】
【請求項１】
建物内に設置された複数の排水設備と排水枝管で接続されると共に、建物の基礎外側の地中埋設排水桝と排水主管で接続される住宅排水システム用ヘッダーにおいて、前記排水枝管と接続される前記ヘッダーの枝管接続口のうちの２つが、ヘッダーの上流側に鋭角の向きである第一枝管接続口と、前記第一接続口に対してヘッダーの下流側に隣りでかつヘッダーの中心軸を挟んで反対側に位置し、しかもヘッダーの上流側に４５度、９０度または９０度大曲りの向きであり前記排水管と接続される第二枝管接続口であり、この第一枝管接続口と第二枝管接続口の間隔が第一枝管接続口からの流入水の第二枝管接続口への飛び込みを防止し得るように所定の間隔で前記ヘッダーに配置されていることを特徴とする住宅排水システム用排水ヘッダー。
【請求項２】
前記第一接続口がヘッダーの上流側に４５度の向きであると共に、前記第二枝管接続口がヘッダーの上流側に９０度の向きであり、かつこの第一枝管接続口の中心軸とヘッダーの中心軸との交点から、この第二枝管接続口の中心軸とヘッダーの中心軸との交点に至る距離が１２５ｍｍから２２０ｍｍとされていることを特徴とする請求項１記載の住宅排水システム用排水ヘッダー。
【請求項３】
前記第一接続口がヘッダーの上流側に４５度の向きであると共に、前記第二枝管接続口がヘッダーの上流側に４５度の向きであり、かつこの第一枝管接続口の中心軸とヘッダーの中心軸との交点から、この第二枝管接続口の中心軸とヘッダーの中心軸との交点に至る距離が１７０から２６５ｍｍとされていることを特徴とする請求項１記載の住宅排水システム用排水ヘッダー。
【請求項４】
前記第一枝管接続口の中心軸と前記ヘッダー内面との交点からヘッダー中心軸までの距離が３５ｍｍから９０ｍｍとされていることを特徴とする請求項２または３記載の住宅排水システム用排水ヘッダー。
【請求項５】
前記第一枝管接続口を有する部分、前記第二枝管接続口を有する部分またはその他の枝管接続口を有する部分とに、前記ヘッダーを長手方向に複数に分割し別体とし、この分割された複数の枝管接続口を有する部分の間が間隔調整用アダプタソケットにより連結されていることを特徴とする請求項１から４何れか記載の住宅排水システム用排水ヘッダー。
【発明の詳細な説明】
【技術分野】
【０００１】
本発明は住宅排水システムにおいて使用する排水ヘッダーに関するものである。
【背景技術】
【０００２】
近来、アパート等の小規模集合住宅や個人用住宅の排水システムとして、図８に示すように排水ヘッダーを使用する方式が提案されている。（特許文献１、特許文献２）
【特許文献１】特開２００２−６１２４８号公報
【特許文献２】特開２００１−２２０７８９号公報
【０００３】
図８において、８’は建物のコンクリート基礎、５１’は建物内に設置されたトイレ、５２’は洗面所、５３’は台所、５４’は洗濯機、５５’は浴室等の排水設備である。１００’は建物床下の所定位置に設置された排水ヘッダーであり、前記排水設備の箇数に応じた箇数の枝管接続口がヘッダー本管に設けられている。４１’，…は各排水設備５１’〜５６’と排水ヘッダー１００’の各枝管接続口との間を接続した排水枝管であり、可撓性管を用いることができ、必要に応じてＹ継手４３’やエルボ４5’が途中に設けられ、Ｙ継手においては、空き接続口が栓体の装着により掃除口とされる。７’はコンクリート基礎外側の宅地内に埋設された排水桝、６２’は排水ヘッダー１００’の流出側接続口と排水桝７’の流入側接続口との間を曲がり継手４４’を介し接続した排水主管であり、建物の床下に露出配設され、コンクリート基礎外周８１’を貫通して排水桝７’に達している。６２０’は排水桝７’の流出側接続口に接続された排水主管であり、図示されていない公共桝に接続されている。
前記排水ヘッダー１００’の上流最端は掃除口として使用され、常時は蓋体によって閉鎖されている。
【０００４】
図８に示した新住宅排水システムは、旧来の住宅排水システム、すなわち図９に示すように、建物内のトイレ５１’、洗面所５２’、台所５３’、洗濯機５４’、浴室５５’等の各排水設備に対応してコンクリート基礎外側の宅地内に桝７１’〜７５’を埋設し、各排水設備５１’〜５５’から各桝７１’〜７５’に向けコンクリート基礎外周８１’を貫通して各排水枝管４１’，…を配設し、これらの各排水枝管で４１’，…各排水設備５１’〜５５’と各桝７１’〜７５’との間を接続し、桝７１’〜７２’〜７３’〜７４’〜７５’間を排水主管６２’，…で接続し、排水主管の直交箇所にも桝７０’を設け、桝７１’を排水主管６２０’により公共桝７００’に接続した住宅排水システムと比較すると次のような利点を有する。
すなわち、（１）新システムは旧システムに較べコンクリート基礎外周の掘削貫通孔の箇数を少なくできる（上記の例では５箇から１個に減少できる）ので、コンクリート基礎外周の強度低下をよく排除できる。また、コンクリート基礎外周の掘削工事の労力、掘削孔の止水処理の手間を軽減できる。（２）新システムでは、排水主管を建物の床下に露出配管できるのに対し、旧システムでは屋外配管であるので地中に埋設する必要があり、新システムの方が排水主管の保守・点検を容易に行ない得る。（３）新システムでは、宅地内桝を全排水設備に対し共用できるので１個で済むが、旧システムでは、少なくとも個々の排水設備に対応した複数箇の宅地内桝を必要とし、新システムの方が、排水主管を露出敷設で済まし得ることとも相俟って掘削工事等の土工費用や桝等の部材コストをよく低減できる。（４）新システムでは、コンクリート基礎外側の宅地内に排水主管や２箇以上の複数箇の桝を埋設する必要がなく、狭い宅地でも住宅建設が可能である。また、コンクリート基礎外側の宅地を植栽等に有効に利用できる。
【発明の開示】
【発明が解決しようとする課題】
【０００５】
上記の新住宅排水システムでは、建物内のトイレ、洗面所、洗濯機、浴室、台所等の各排水設備からの排水を排水枝管を経て排水ヘッダーで一括集合させ、この集合排水を排水ヘッダーの排水流出口から排水主管を経て排水桝に向け流出していくから、排水設備に接続した枝管接続口から排水ヘッダーに流入した排水が他の枝管接続口に飛び込む畏れがある。これは旧住宅排水システムでは生じ得ないことである。
特許文献１では、排水ヘッダーとして図１０に示すような９０度大曲がりＹ継手１’を図１１に示すように、交互に枝管接続口を本管中心軸を挾んで反対側に位置するように連ね、相互間をカラー１１’を介し接着剤により連結したものが用いられている。
このように枝管接続口を本管中心軸を挾んで交互に反対側に配設することにより、配管の方向性に対する自由度を高くでき、また同一側での枝管接続口の間隔を広くでき、排水枝管の接続をそれだけ容易に行なうことができる。
【０００６】
しかしながら、本発明者の経験によれば、図１１に示す排水ヘッダーでは、トイレに対する枝管接続口からの流入汚水がヘッダー下流側に隣の少量排水機器に対する枝管接続口、例えば、洗面所に対する枝管接続口に飛び込み侵入し、この侵入汚水中の汚物が滞留固化して配管詰りが発生することが往々にしてある。トイレに対する枝管接続口の流出側における、ヘッダー本管中心軸方向に直角方向の流れ成分が大きいほど、前記汚水の飛び込み侵入が生じ易い。９０度大曲がりＹ継手は９０度Ｙ継手と同様、枝管接続口の流入側から本管管の中心方向に対し直角の方向（図１１のＦ）からの排水を流入させるものであるが、その流入方向と本管管中心軸方向との間に曲面部を介在させてあり、接続口流入側のヘッダー本管中心軸方向に直角方向の流れ成分は９０度Ｙ継手に較べて大きい。しかし、４５度Ｙ継手よりも小さい。
【０００７】
上記トイレからの排水枝管に接続した枝管接続口から流入する汚水がヘッダー下流側に隣の枝管接続口に飛び込み侵入する主な原因は、上流側の９０度大曲がりＹ継手の枝管接続口の流出側のヘッダー本管中心軸方向に直角方向の流れ成分が相当に大きいこと及び上流側と下流側の両枝管接続口の離隔間隔が短か過ぎることにあると推察できる。
【０００８】
本発明の目的は、建物内に設置された複数の排水設備と建物床下に設置されたヘッダーの複数箇の枝管接続口との間がそれぞれ排水枝管で接続され、該ヘッダーの流出側接続口と建物の基礎外側の地中埋設排水桝の流入側接続口との間が建物床下の排水主管を介して接続された住宅排水システムにおける排水ヘッダーにおいて、トイレからの流入汚水が少量排水機器への枝管接続口内に飛び込むのを防止してスムーズな排水を保証すると共に排水ヘッダーを充分に短尺化することにある。
【課題を解決するための手段】
【０００９】
請求項１に係る住宅排水システム用排水ヘッダーは、建物内に設置された複数の排水設備と排水枝管で接続されると共に、建物の基礎外側の地中埋設排水桝と排水主管で接続される住宅排水システム用ヘッダーにおいて、前記排水枝管と接続される前記ヘッダーの枝管接続口のうちの２つが、ヘッダーの上流側に鋭角の向きである第一枝管接続口と、前記第一接続口に対してヘッダーの下流側に隣りでかつヘッダーの中心軸を挟んで反対側に位置し、しかもヘッダーの上流側に４５度、９０度または９０度大曲りの向きであり前記排水管と接続される第二枝管接続口であり、この第一枝管接続口と第二枝管接続口の間隔が第一枝管接続口からの流入水の第二枝管接続口への飛び込みを防止し得るように所定の間隔で前記ヘッダーに配置されていることを特徴とする。
【００１０】
請求項２に係る住宅排水システム用排水ヘッダーは、請求項１記載の住宅排水システム用排水ヘッダーにおいて、前記第一接続口がヘッダーの上流側に４５度の向きであると共に、前記第二枝管接続口がヘッダーの上流側に９０度の向きであり、かつこの第一枝管接続口の中心軸とヘッダーの中心軸との交点から、この第二枝管接続口の中心軸とヘッダーの中心軸との交点に至る距離が１２５ｍｍから２２０ｍｍとされていることを特徴とする。
【００１１】
請求項３に係る住宅排水システム用排水ヘッダーは、請求項１記載の住宅排水システム用排水ヘッダーにおいて、前記第一接続口がヘッダーの上流側に４５度の向きであると共に、前記第二枝管接続口がヘッダーの上流側に４５度の向きであり、かつこの第一枝管接続口の中心軸とヘッダーの中心軸との交点から、この第二枝管接続口の中心軸とヘッダーの中心軸との交点に至る距離が１７０から２６５ｍｍとされていることを特徴とする。
【００１２】
請求項４に係る住宅排水システム用排水ヘッダーは、請求項２または３記載の住宅排水システム用排水ヘッダーにおいて、前記第一枝管接続口の中心軸と前記ヘッダー内面との交点からヘッダー中心軸までの距離が３５ｍｍから９０ｍｍとされていることを特徴とする。
【００１３】
請求項５に係る住宅排水システム用排水ヘッダーは、請求項１から４何れか記載の住宅排水システム用排水ヘッダーにおいて、前記第一枝管接続口を有する部分、前記第二枝管接続口を有する部分またはその他の枝管接続口を有する部分とに、前記ヘッダーを長手方向に複数に分割し別体とし、この分割された複数の枝管接続口を有する部分の間が間隔調整用アダプタソケットにより連結されていることを特徴とする。
【発明の効果】
【００１４】
請求項１〜３の住宅排水システム用排水ヘッダーでは、上流方向に対し４５度の第一枝管接続口と、この第一枝管接続口に対し下流側に隣りでヘッダー本管中心軸を挾んで反対側に位置した４５度または９０度の向きあるいは９０度大曲がりの第二枝管接続口との間の距離を、前者からのヘッダー内への流入排水を後者への飛び込みを防止し得る所定の距離に設定しているから、その飛び込みを防止できる。従って、前者の枝管接続口がトイレに連通され、後者の枝管接続口が洗面所のような少量排水機器に連通されても、後者への汚水の飛び込みを防止し得、飛び込み汚水の滞留固化に起因する配管詰りを排除できる。
しかも、４５度の向きの枝管接続口では、９０度大曲がりの枝管接続口よりも、トイレに対する枝管接続口の流出側における、ヘッダー本管中心軸方向に直角方向の流れ成分が小さく、汚水の飛び込み侵入が生じ難いから、前記飛び込み防止のための必要間隔をそれだけ短くでき、排水ヘッダーの短尺化を達成できる。
【００１５】
請求項４の住宅排水システム用排水ヘッダーでは、図４に示す上流側の４５度の第一枝管接続口の流出中心点ｐからヘッダー本管の中心軸ｎ−ｎに至る距離Ｒを大きくするほど、前記汚水の飛び込みエネルギーを事前によく消費させ得るところ、この距離Ｒを充分に大きくしているのでその飛び込みをよく防止できる。反面、この距離を大きくし過ぎると、排水ヘッダーの径大化を伴い、ヘッダー本管内の水位低下のために掃流性も低下するが、その距離に所定の上限を設定しているので、排水ヘッダーを充分に径小化でき、良好な掃流性を保証できる。
【００１６】
請求項５の住宅排水システム用排水ヘッダーでは、枝管接続口単位でユニット化したヘッダー片の連結により排水ヘッダーを組み立てる場合、前記上流側の４５度の第一枝管接続口を有するヘッダー片と下流側に隣りで、かつヘッダー本管中心軸を挾んで反対側に位置する４５度または９０度の第二枝管接続口を有するヘッダー片との間を長さ調整用アダプタソケットにより連結することにより請求項１〜３の構成にでき、ヘッダーの製作が容易である。
【発明を実施するための最良の形態】
【００１７】
以下、図面を参照しつつ本発明の実施の形態について説明する。
図１は請求項１に係る住宅排水システム用排水ヘッダーの実施形態の要部を示している。
図１において、１０はヘッダー本管を、矢印は下流方向を示している。ヘッダー本管の断面は通常円形とされるが、後述するように卵形等とすることもできる。１１は上流方向に対し鋭角の向きの枝管接続口、１２はこの枝管接続口に対し下流側に隣りでかつヘッダー本管中心軸を挾んで反対側に位置された枝管接続口であり、図示の９０度枝管接続口の外、４５度枝管接続口、９０度大曲がり枝管接続口とすることができる。各枝管接続口の中心軸とヘッダー本管の中心軸とは交差されている。
ヘッダー本管１０の口径は通常、枝管接続口１１，１２の口径よりも大とされ、例えば、前者が１００ｍｍ、後者が３０〜７０ｍｍとされている。
ヘッダー本管１０に設けられる枝管接続口の箇数は、最小では、トイレの汚水系とトイレ以外の雑水系の２箇、通常はトイレ、洗面所、洗濯機、浴室、台所に対応しての５箇とされ、７箇とすることもできる。
上記４５度枝管接続口１０及び９０度枝管接続口１２以外の枝管接続口は、上記の両枝管接続口に対し上流側または下流側の何れに位置させてもよく、また、ヘッダー本管中心軸を基準として同じ側あるいは反対側の何れに配置させてもよく、また、全体が交互に反端側となるように位置させてもよい。
下流側流出口と反対側の上流最端口は枝管接続口または掃除口として使用される。掃除口として使用する場合、常時は蓋体または栓体の装着で閉塞される。
排水ヘッダーの材質は塩化ビニル樹脂、ポリエチレン等の合成樹脂、好ましくは透視可能か半透明若しくは透明とすることができ、製作は射出成形により行なうことができる。
【００１８】
上流側の４５度枝管接続口１１にはトイレからの排水枝管を、下流側に隣りでかつヘッダ本管中心軸を挾んで反端側に位置する枝管接続口１２には少量排水機器例えば洗面所からの排水枝管をそれぞれ接続することができる。
図１において、上流側の鋭角枝管接続口１１の角度をθ、鋭角枝管接続口１１の流入側に流入する汚水流れをＦとすると、この流れＦのヘッダー本管中心軸方向に直角方向の流れ成分Ｆsinθが下流側に隣りで、かつヘッダー本管中心軸を挾んで反対側に位置する枝管接続口１２への汚水の飛び込みのエネルギーを分担し、この流れ成分Ｆsinθが小である程、上流側枝管接続口１１とその下流側に隣りで、かつヘッダー本管中心軸を挾んで反対側に位置する枝管接続口１２との間の距離を短くして前記の飛び込みを防止できる。
而るに、請求項１の排水ヘッダーでは、上流側枝管接続口１１の角度θを鋭角としており、実質的に９０度大曲がり枝管接続口よりも流れ成分Ｆsinθを小さくできるから、短いヘッダー長さで上記した汚水の飛び込みを防止できる。
【００１９】
上記流れＦのヘッダー本管中心軸方向成分Ｆcosθを大とするほど、ヘッダー本管内での汚物の沈滞をよく防止でき、掃流性を高くして流れ抵抗の増加を防止でき、下流側に隣りで、かつヘッダー本管中心軸を挾んで反対側に位置するの枝管接続管１２への汚物のひっかかりをよく防止できる。
而るに、鋭角の枝管接続口１１では、前記ヘッダー本管中心軸方向成分Ｆcosθが９０度大曲がり枝管接続口よりも大きく、下流側に隣りで、かつヘッダー本管中心軸を挾んで反対側に位置する枝管接続口１２への汚物のひっかかりをよく防止できる。
従って、上流側枝管接続口が９０度大曲がり枝管接続口である従来の排水ヘッダー使用の場合に往々にして観られる、「上流側枝管接続口からの汚水の下流側に隣りで、かつヘッダー本管中心軸を挾んで反対側に位置する枝管接続口への飛び込みで付着した汚物やひっかかった汚物がその下流側枝管接続口内の掃流流量が小量であるために乾燥固化されて生じる配管詰まり」を、良好に防止できる。
【００２０】
図２は請求項２に係る住宅排水システム用排水ヘッダーの実施形態の要部を示している。
図２において、１０はヘッダー本管、１１０は上流方向に対し４５度の向きの枝管接続口、１２０はこの枝管接続口１１０に対し下流側に隣りでかつヘッダー本管中心軸を挾んで反対側に位置された９０度の向きの枝管接続口であり、各枝管接続口の中心軸がヘッダー本管の中心軸に交差されている。ａは上流側の４５度枝管接続口１１０の中心軸とヘッダー本管１０の中心軸との交点、ｂはその下流側に隣でヘッダー本管中心軸を挾んで反対側に位置された９０度枝管接続口１２０の中心軸とヘッダー本管１０の中心軸との交点を示している。
ヘッダー本管に設けられる枝管接続口の全箇数は前記と同様に２〜７箇であり、下流側流出口と反対側の上流最端口は、掃除口または枝管接続口として使用される。
上記４５度枝管接続口１１０及びその下流側に隣りで、かつヘッダー本管中心軸を挾んで反対側に位置するする９０度枝管接続口１２０以外の枝管接続口は、前記の両枝管接続口に対し上流側または下流側の何れに位置させてもよく、また、ヘッダー本管中心軸を基準として同じ側あるいは反対側の何れの配置させてもよく、また、全体が交互に反端側となるように位置させてもよい。
前記と同様に排水ヘッダーの材質は透明乃至は半透明の塩化ビニル樹脂、ポリエチレンとすることができ、製作は射出成形により行なうことができる。
上記両交点ａ−ｂの間隔Ｌは、両枝管接続口の間隔に一致し、１２５ｍｍ〜２２０ｍｍとされている。
【００２１】
この両枝管接続口１１０，１２０間の間隔Ｌを１２５ｍｍ〜２２０ｍｍとした理由は、図２に示す上流側の４５度枝管接続口の流出中心点からヘッダー本管の中心軸に至る距離が前記汚水の飛び込エネルギーの事前消費による軽減に寄与するところ、両枝管接続口の間隔１２５ｍｍ未満では前記飛び込みを防止するのにヘッダー本管内径を相当に大きくする必要があり、ヘッダー本管内の水位低下による掃流性の低下、ヘッダー本管の径大化が招来され、両枝管接続口の間隔が２２０ｍｍを超えるとヘッダーの必要以上の長尺化が招来されるからである。
【００２２】
図３は請求項３に係る住宅排水システム用排水ヘッダーの実施形態の要部を示している。
図３において、１０はヘッダー本管、１１０は上流方向に対し４５度の向きの枝管接続口、１２００はこの枝管接続口１１０に対し下流側に隣りでかつヘッダー本管中心軸を挾んで反対側に位置された上流方向に４５度の向きの枝管接続口であり、各枝管接続口の中心軸がヘッダー本管の中心軸に交差されている。ａは上流側の４５度枝管接続口１１０の中心軸とヘッダー本管１０の中心軸との交点、ｂ’はその下流側に隣りでかつヘッダー本管中心軸を挾んで反対側に位置された４５度枝管接続口１２００の中心軸とヘッダー本管１０の中心軸との交点を示している。
ヘッダー本管１０に設けられる枝管接続口の全箇数は前記と同様に２〜７箇であり、下流側流出口と反対側の上流最端口は、掃除口または枝管接続口として使用される。
上記４５度枝管接続口１１０及びその下流側に隣りで、かつヘッダー本管中心軸を挾んで反対側に位置する４５度枝管接続口１２００以外の枝管接続口は、前記の両枝管接続口に対し上流側または下流側の何れに位置させてもよく、また、ヘッダー本管中心軸を基準として同じ側あるいは反対側の何れの位置させてもよく、また、全体が交互に反端側となるようにさせてもよい。
前記と同様に排水ヘッダーの材質は透明乃至は半透明の塩化ビニル樹脂、ポリエチレンとすることができ、製作は射出成形により行なうことができる。
上記両交点ａ−ｂ’の間隔Ｌ’は、両枝管接続口１１０，１２００間の間隔に一致し、１７０ｍｍ〜２６５ｍｍとされている。
【００２３】
この距離Ｌ’＝１７０〜２６５ｍｍが図２に示した請求項２に係る住宅排水システム用排水ヘッダーでの距離Ｌ＝１２５〜２２０に較べて長い理由は、４５度枝管接続口１２００がヘッダー本管内面に開口する広さと９０度枝管接続口１２０がヘッダー本管内面に開口する広さとの比がほぼ（１／cos４５°）倍、すなわち√２倍であり、開口広さが大きいほどそれだけ飛び込みが生じ易く、その飛び込みを防止するには、飛び込み防止のための前記間隔を大きくする必要があるからである。
【００２４】
図４に示す上流側の４５度枝管接続口１１０の開口中心ｐ（４５度枝管接続口の中心軸とヘッダー本管内面との交差点）からヘッダー本管１０の中心軸ｎ−ｎに至る間で、上流側の４５度枝管接続口１０の開口中心ｐから流出された流れのエネルギーの一部が消費されるから、この距離を大とするほど、４５度枝管接続口１１０からの汚水の下流側に隣りでかつ反対側に位置する枝管接続口への飛び込みをよく防止できる。しかしながら、この間隔を大きくし過ぎると、ヘッダー本管１０の内径が大きくなって排水ヘッダーの径大化が招来される。また、短か過ぎると、ヘッダー本管１０の内径が小さくなりすぎてヘッダー本管内の流動抵抗が高くなり、搬送性の低下が避けられない。従って、上流側の４５度の向きの枝管接続口１１０の中心軸とヘッダー本管１０の内面との交点ｐからヘッダー本管１０の中心軸ｎ−ｎまでの距離Ｒは３５〜９０ｍｍとすることが好ましい。
【００２５】
本発明に係る住宅排水システム用排水ヘッダーは、建物内の排水設備の箇数（通常５〜７箇）の枝管接続口を一箇のヘッダー本管に一体に設けた形態で実施することもできるが、一箇の４５度枝管接続口を有するヘッダー分割片、一箇の９０度枝管接続口を有するヘッダー分割片、９０度大曲がり枝管接続口を有するヘッダー分割片を選択して連結し、少なくとも一箇の４５度枝管接続口とその下流側に隣りで、かつヘッダー本管中心軸を挾んで反対側に位置する４５度または９０度枝管接続口を有するヘッダーに組み立てることが好ましい。
この場合、各ヘッダー分割片の両端を受口にしてカラーを介し接着剤により連結したり、各ヘッダー分割片の片端を受口に、他端を挿口にして接着剤により連結することができる。ヘッダー分割片の本管部の断面が円形の場合、ヘッダー本管中心軸を挾んで反対側の位置に枝管接続口を配するには、ヘッダー分割片相互を連結する際に回転角を１８０ずらせばよい。
【００２６】
また、受口・挿口方式で連結する場合、図５の（イ）（上面説明図）及び（ロ）（側面説明図）に示すように上流側の４５度枝管接続口１１０を有するヘッダー分割片Ａとヘッダー本管中心軸を挾んで反対側に位置する９０度枝管接続口１２０または４５度枝管接続口を有するヘッダ分割片Ｂとを、図６の（イ）、（ロ）〔図６の（イ）のロ−ロ断面図〕及び（ハ）〔図６の（イ）のハ−ハ断面図〕に示す間隔調整用アダプタソケット２を介在させ接着剤で連結することにより前記の飛び込み防止距離を与えることができる。
前記ヘッダー本管の断面は、円形の外、卵形、縦長の楕円形や長円形とすることもできる。卵形等とすれば、同一断面積・同一流量のもとで水位を高くできるから、汚物をよく浮遊させ得て掃流性を高くできる。
【００２７】
既述した通り、排水ヘッダーの最上流側端口を掃除口として使用できる。また、各枝管接続口に対しヘッダー本管中心軸を挾む反対側の位置に、或いは図５に示すように、各枝管接続口１１０、１２０の近傍に掃除口１１０１、１２０１を設け、常時は螺子式蓋の螺合で閉鎖しておくことができる。
配水機器の排水系をトイレの汚水系とトイレ以外の雑水系に分け、例えば、図５に示す排水ヘッダーの４５度枝管接続口１１０を汚水系に、９０度枝管接続口１２０を雑水系にして使用することもできる。この場合、排水ヘッダーの最上流端口は掃除口として使用できる。
更に、雑水系を、例えば洗面所、浴室及び洗濯機と台所とに分け、これらの系を９０度枝管接続口と排水ヘッダー最上流端口とに接続することも可能である。
図１、図２において、９０度枝管接続口１２０を４５度枝管接続口または９０度大曲がり接続口とすることもできる。
【００２８】
本発明に係る排水ヘッダーは、住宅排水システムを新設する場合の外、既設の住宅排水システムを改変する場合にも使用できる。
例えば、既設の住宅排水システムが特許文献１に示されているように、９０度大曲がりＹ継手を連結して組み立てた排水ヘッダーを使用している場合、４５度枝管接続口を有するヘッダー分割片と本管中心軸を挾んで反対側の位置に９０度枝管接続口を有するヘッダー分割片とをアダプタソケットを介し接着剤により連結して前記飛び込み防止に必要な間隔をもたせ、既存の住宅排水システムの排水ヘッダーからトイレに対する９０度大曲がりＹ継手及び洗面所に対する９０度大曲がりＹ継手を取り外し、そのあとに、前記のヘッダー分割片連結体の４５度枝管接続口を９０度枝管接続口の上流側とするように取付け、この取付けたヘッダー分割片連結体の４５度枝管接続口をトイレからの既設排水枝管に接続し、同じく９０度枝管接続口を洗面所からの既設排水枝管に接続することができる。
【００２９】
図７は本発明に係る排水ヘッダーを使用した住宅排水システムの一例を示している。
図中、１００は本発明に係る排水ヘッダーを示し、４５度Ｙ継手１０１に９０度Ｙ継手１０２が連結され、その連結された９０度Ｙ継手１０２に更に３箇の９０度大曲がりＹ継手１０３，１０３，１０３が連結され、しかも各枝管接続口の配置がヘッダー本管中心軸を挾んで交互に反対側にされ、４５度Ｙ継手１０１の枝管接続口と９０度Ｙ継手１０２の枝管接続口との間隔がアダプタソケットの介在により前記飛込みを防止し得る最短距離に設定されている。
図７において、宅地３内に建物が建てられており、建物床下の基礎内側の防湿コンクリート或いは盛土上に排水ヘッダー１００が配置されている。
排水ヘッダー１００の最上流の４５度Ｙ継手１０１が排水枝管４１と曲り継手４２を介してトイレ５１に接続されている。その４５度Ｙ継手１０１の下流側に隣の９０度Ｙ継手１０２が排水枝管４１を介して洗面所５２に接続されている。更に下流側に隣の９０度大曲がりＹ継手１０３がＬ型配設の排水枝管４１，４１と９０度Ｙ継手４３を介して台所５３に接続され、その９０度Ｙ継手４３の空き接続口が螺子式栓体の螺合で閉鎖されて掃除口とされている。更に、下流側に隣の９０度大曲がりＹ継手１０３が洗濯機５４に排水枝管４１により接続されている。更に、下流側に隣の９０度大曲がりＹ継手１０３が９０度Ｙ継手４３と排水枝管４１とを介して浴室５５に接続され、その９０度Ｙ継手４３の空き接続口が螺子式栓体の螺合で閉鎖されて掃除口とされている。排水ヘッダー１００の最上流端口も螺合式蓋体の螺合で閉鎖されて掃除口とされている。
従って、排水ヘッダー１００の点検・掃除を容易に行なうことができ、排水枝管の掃除も排水枝管途中に介在させた９０度Ｙ継手の栓体の離脱により容易に行なうことができる。
排水ヘッダー１００の最下流端における９０度大曲がりＹ継手１０３の流出口に、９０度エルボ継手６１を介して排水主管６２の上流側端部が接続され、この排水主管６２の下流側端部が建物のコンクリート基礎外周３１の外部の宅地内に埋設された排水桝７の流入側接続口に接続され、この排水桝７の流出側接続口が排水主管６２０により図示されていない公共桝の流入側接続口に接続され、この公共桝の流出側接続口と図示されていない下水道本管とが取付け管により連通されている。
【図面の簡単な説明】
【００３０】
【図１】請求項１に係る排水ヘッダーを説明するために使用した図面である。
【図２】請求項２に係る排水ヘッダーを説明するために使用した図面である。
【図３】請求項３に係る排水ヘッダーを説明するために使用した図面である。
【図４】請求項４に係る排水ヘッダーを説明するために使用した図面である。
【図５】請求項５に係る排水ヘッダーの一実施例を示す図面である。
【図６】図５の排水ヘッダーにおけるアダプターソケットを示す図面である。
【図７】本発明に係る排水ヘッダーを使用した住宅排水システムを示す図面である。
【図８】従来の排水ヘッダーを使用した住宅排水システムを示す図面である。
【図９】従来の住宅排水システムを示す図面である。
【図１０】図９の住宅排水システムのユニット式排水ヘッダーの９０度大曲がりＹ継手を示す図面である。
【図１１】図９の住宅排水システムのユニット式排水ヘッダーを示す図面である。
【符号の説明】
【００３１】
１０            ヘッダー本管
１１            鋭角枝管接続口
１２            ９０度枝管接続口
１１０          下流側に隣にヘッダー本管中心軸を挾んで反対側に位置された４５度枝管接続口
１２０          下流側に隣にヘッダー本管中心軸を挾んで反対側に位置された４５度枝管接続口
ａ              ４５度枝管接続口の中心軸とヘッダー本管の中心軸との交点
ｂ              ９０度枝管接続口の中心軸とヘッダー本管の中心軸との交点
ｂ’            下流側に隣りの４５度枝管接続口の中心軸とヘッダー本管の中心軸との交点
３              宅地
３１            コンクリート外周
Ａ              ヘッダー分割片
Ｂ              ヘッダー分割片
２              アダプターソケット
【図１】
2005290675.tif 000003
【図２】
2005290675.tif 000004
【図３】
2005290675.tif 000005
【図４】
2005290675.tif 000006
【図５】
2005290675.tif 000007
【図６】
2005290675.tif 000008
【図７】
2005290675.tif 000009
【図８】
2005290675.tif 000010
【図９】
2005290675.tif 000011
【図１０】
2005290675.tif 000012
【図１１】
2005290675.tif 000013